(57)【要約】【課題】目標電力量が超えたことをユーザに対して確実に報知することができない場合がある。【解決手段】産業設備の電力量を計測する電力量計測部１１を備えた電力計測ユニット２と、この電力計測ユニットと通信接続して各電力計測ユニットの計測結果として電力量を取得するＰＣ端末３とを有し、ＰＣ端末は、電力計測ユニット毎に電力量を取得すると、電力計測ユニット毎に同電力量を記憶するメモリ部２５と、記憶中の電力量に基づき、電力計測ユニットの電力量を表示部２２に表示させるＣＰＵ２６と、電力計測ユニット毎に閾値としての目標電力量をメモリ部２５に設定記憶し、電力計測ユニット毎の電力量が目標電力量を超えたか否かを判定する閾値判定部３２とを有し、ＣＰＵは、電力量が目標電力量を超えたと判定されると、電力量が目標電力量超えを示す警告表示を表示部に表示させ、同警告表示に連動して警告音を音響出力部２３に音響出力させるようにした。【選択図】図１
2011145310.tif 000002
【特許請求の範囲】
【請求項１】
電気設備の電力量を計測する電力量計測手段を備えた電力計測ユニットと、この電力計測ユニットと通信接続して各電力計測ユニットから計測結果として電力量を取得する通信端末とを有し、前記通信端末は、前記電力計測ユニット毎に電力量を取得すると、同電力計測ユニット毎に電力量を記憶する記憶手段と、この記憶手段に記憶中の電力量に基づき、前記電力計測ユニットの電力量を表示手段に表示させる制御手段とを有する電力量監視システムであって、
前記通信端末は、前記電力計測ユニット毎に閾値としての目標電力量を設定する閾値設定手段と、この閾値設定手段にて設定した目標電力量を前記電力計測ユニット毎に設定記憶する閾値記憶手段と、前記記憶手段に記憶中の電力計測ユニット毎の電力量が前記閾値記憶手段に記憶中の同電力計測ユニットに関わる目標電力量を超えたか否かを判定する閾値判定手段とを有して構成されており、
前記電力計測ユニットは、前記電力量計測手段にて設定周期毎に同電気設備の電力量を計測すると、この電力量計測手段の電力量を同設定周期毎に順次記憶する電力量記憶手段を有し、
前記制御手段は、前記閾値判定手段にて電力量が目標電力量を超えたと判定されると、前記電力量が目標電力量を超えたことを示す警告表示を前記表示手段に表示させると共に、前記収集対象の各電力計測ユニットと通信接続して各電力計測ユニットに対して前記設定周期毎の電力量の取得動作を実行した際、前記収集対象の電力計測ユニットの内、同電力量が未取得の電力計測ユニットがある場合に、同未取得の電力量の取得動作を行い、この取得した前記設定周期毎の電力量を同電力計測ユニット毎に前記記憶手段に記憶するように構成されている、ことを特徴とする電力量監視システム。
【請求項２】
前記通信端末は、
前記電力計測ユニット毎に注目度を設定する注目度設定手段と、
この注目度設定手段にて設定した注目度を前記電力計測ユニット毎に設定記憶する注目度記憶手段とを有し、
前記制御手段は、
前記閾値判定手段にて前記電力計測ユニットに関わる電力量が目標電力量を超えたと判定されると、前記注目度記憶手段に記憶中の同電力計測ユニットの注目度に対応する前記警告表示を前記表示手段に表示させると共に、同警告表示に連動して同注目度に対応する警告音を前記音響出力手段に音響出力させることを特徴とする請求項１記載の電力量監視システム。
【請求項３】
前記電力計測ユニット毎の計測結果としての電力量は、
同電力計測ユニットを識別する識別符号と、同電力計測ユニットが所属するグループ識別符号とを含み、
前記閾値設定手段にて前記グループ識別符号毎に閾値としてのグループ目標電力量を設定し、同グループ目標電力量を前記閾値記憶手段に記憶しておき、
前記閾値判定手段は、
前記記憶手段に記憶中の前記電力計測ユニットの電力量に基づき、前記グループ識別符号毎に電力量を集計し、この集計結果の電力量が前記閾値記憶手段に記憶中の同グループ識別符号に対応したグループ目標電力量を超えたか否かを判定し、
前記制御手段は、
前記閾値判定手段にて前記集計結果の電力量がグループ目標電力量を超えたと判定されると、前記電力量がグループ目標電力量を超えたことを示す警告表示を前記表示手段に表示させると共に、同警告表示に連動して警告音を音響出力手段に音響出力させることを特徴とする請求項１又は２記載の電力量監視システム。
【請求項４】
前記通信端末は、
前記注目度設定手段にて前記グループ識別符号毎に注目度を設定し、同グループ識別符号毎に注目度を前記注目度記憶手段に記憶し、
前記制御手段は、
前記閾値判定手段にて前記集計結果の電力量が前記グループ目標電力量を超えたと判定されると、前記注目度記憶手段に記憶中の同グループ識別符号の注目度に対応する前記警告表示を前記表示手段に表示させると共に、同警告表示に連動して同注目度に対応する警告音を前記音響出力手段に音響出力させることを特徴とする請求項３記載の電力量監視システム。
【発明の詳細な説明】
【技術分野】
【０００１】
本発明は、例えば工場内の産業設備等の電気設備毎に配置され、同電気設備の電力量(電力消費量)を計測する複数の電力計測ユニットと、これら電力計測ユニットと通信接続して各産業設備の電力量を収集する、例えばパソコン等の通信端末とを有し、通信端末のモニタ上で産業設備等の電気設備毎の電力量をモニタ表示する電力量監視システムに関する。
【背景技術】
【０００２】
従来、このような電力量監視システムとしては、一般家庭内の家電機器毎に配置され、同家電機器の電力量を計測する複数のターミナル(電力計測ユニット)と、これらターミナル（電力計測ユニット）と通信接続して各家電機器の電力量を収集する、例えばパソコン等のコントローラとを有し、パソコンのモニタ上で個々の家電機器の現在の電力量や時間毎の電力量の推移等をモニタ表示するようにしたものが知られている(例えば特許文献１参照)。
【０００３】
特許文献１の電力量監視システムによれば、家電機器毎に配置されたターミナル(電力計測ユニット)を通じて各家電機器の電力量を収集し、パソコンのモニタ上に家電機器毎の電力量を画面表示するようにしたので、ユーザは、一般家庭内の家電機器の電力量を把握することができる。
【０００４】
尚、この特許文献１の電力量監視システムにおいては、一般家庭内の家電機器の電力量を把握するシステムを発明対象としているが、２００５年２月に地球温暖化対策のための京都議定書が発効されたことで温室効果ガスの削減目標達成に向けた取り組みが企業側に強く要求され、企業にとって産業設備の消費電力の削減は重要課題となるため、企業側では、温室効果ガスの削減目標達成の進捗状況を把握するためにも、例えば工場内の産業設備毎に電力量を常時把握できるようにしたシステムが望まれているのが現状である。
【先行技術文献】
【特許文献】
【０００５】
【特許文献１】特開平９−８４１４６号公報（要約書及び図１参照）
【発明の開示】
【発明が解決しようとする課題】
【０００６】
しかしながら、上記特許文献1の電力量監視システムによれば、例えば膨大な電力を消費する工場等の産業設備の電力量を把握するためのシステムを発明対象としているものではないが、ターミナル(電力計測ユニット)毎にリアルタイムに家電機器の電力量を計測し、ターミナル(電力計測ユニット)側はパソコンから要求コマンドを検出すると、同要求コマンドに応じて家電機器のリアルタイムの電力量をパソコン側に通知し、同電力量が最大電力消費量に近づくと、警告ランプを点灯表示することでユーザ側に報知するようにしたが、警告ランプの点灯表示に気がつかなければ、警告を把握することができず、殊に膨大な電力量を要する産業設備においては極めて重要な課題である。
【０００７】
また、同様に電気設備においては、個々の産業設備だけでなく、複数の産業設備で構成するグループ単位での目標電力量超えについても警告としてユーザ側に把握させる必要があるため、グループ単位での警告をユーザ側に確実に把握させる必要がある。
【０００８】
本発明は上記点に鑑みてなされたものであり、その目的とするところは、ユニット単位での目標電力量超えを確実にユーザに通知することができる、電気設備の電力量管理に優れた電力量監視システムを提供することにある。
【０００９】
また、本発明は上記点に鑑みてなされたものであり、その目的とするところは、グループ単位での目標電力量超えを確実にユーザに通知することができる、電気設備の電力量管理に優れた電力量監視システムを提供することにある。
【課題を解決するための手段】
【００１０】
上記目的を達成するために本発明の電力量監視システムは、電気設備の電力量を計測する電力量計測手段を備えた電力計測ユニットと、この電力計測ユニットと通信接続して各電力計測ユニットから計測結果として電力量を取得する通信端末とを有し、前記通信端末は、前記電力計測ユニット毎に電力量を取得すると、同電力計測ユニット毎に電力量を記憶する記憶手段と、この記憶手段に記憶中の電力量に基づき、前記電力計測ユニットの電力量を表示手段に表示させる制御手段とを有する電力量監視システムであって、前記通信端末は、前記電力計測ユニット毎に閾値としての目標電力量を設定する閾値設定手段と、この閾値設定手段にて設定した目標電力量を前記電力計測ユニット毎に設定記憶する閾値記憶手段と、前記記憶手段に記憶中の電力計測ユニット毎の電力量が前記閾値記憶手段に記憶中の同電力計測ユニットに関わる目標電力量を超えたか否かを判定する閾値判定手段とを有して構成されており、前記電力計測ユニットは、前記電力量計測手段にて設定周期毎に同電気設備の電力量を計測すると、この電力量計測手段の電力量を同設定周期毎に順次記憶する電力量記憶手段を有し、前記制御手段は、前記閾値判定手段にて電力量が目標電力量を超えたと判定されると、前記電力量が目標電力量を超えたことを示す警告表示を前記表示手段に表示させると共に、前記収集対象の各電力計測ユニットと通信接続して各電力計測ユニットに対して前記設定周期毎の電力量の取得動作を実行した際、前記収集対象の電力計測ユニットの内、同電力量が未取得の電力計測ユニットがある場合に、同未取得の電力量の取得動作を行い、この取得した前記設定周期毎の電力量を同電力計測ユニット毎に前記記憶手段に記憶するようにした。
【００１１】
本発明の電力量監視システムは、前記通信端末が、前記電力計測ユニット毎に注目度を設定する注目度設定手段と、この注目度設定手段にて設定した注目度を前記電力計測ユニット毎に設定記憶する注目度記憶手段とを有し、前記制御手段は、前記閾値判定手段にて前記電力計測ユニットに関わる電力量が目標電力量を超えたと判定されると、前記注目度記憶手段に記憶中の同電力計測ユニットの注目度に対応する前記警告表示を前記表示手段に表示させると共に、同警告表示に連動して同注目度に対応する警告音を前記音響出力手段に音響出力させるようにした。
【００１２】
本発明の電力量監視システムは、前記電力計測ユニット毎の計測結果としての電力量が、同電力計測ユニットを識別する識別符号と、同電力計測ユニットが所属するグループ識別符号とを含み、前記閾値設定手段にて前記グループ識別符号毎に閾値としてのグループ目標電力量を設定し、同グループ目標電力量を前記閾値記憶手段に記憶しておき、前記閾値判定手段は、前記記憶手段に記憶中の前記電力計測ユニットの電力量に基づき、前記グループ識別符号毎に電力量を集計し、この集計結果の電力量が前記閾値記憶手段に記憶中の同グループ識別符号に対応したグループ目標電力量を超えたか否かを判定し、前記制御手段は、前記閾値判定手段にて前記集計結果の電力量がグループ目標電力量を超えたと判定されると、前記電力量がグループ目標電力量を超えたことを示す警告表示を前記表示手段に表示させると共に、同警告表示に連動して警告音を音響出力手段に音響出力させるようにした。
【００１３】
本発明の電力量監視システムは、前記通信端末が、前記注目度設定手段にて前記グループ識別符号毎に注目度を設定し、同グループ識別符号毎に注目度を前記注目度記憶手段に記憶し、前記制御手段は、前記閾値判定手段にて前記集計結果の電力量が前記グループ目標電力量を超えたと判定されると、前記注目度記憶手段に記憶中の同グループ識別符号の注目度に対応する前記警告表示を前記表示手段に表示させると共に、同警告表示に連動して同注目度に対応する警告音を前記音響出力手段に音響出力させるようにした。
【発明の効果】
【００１４】
上記のように構成された本発明の電力量監視システムによれば、前記閾値判定手段にて計測結果としての電力量が目標電力量を超えたと判定されると、前記電力量が目標電力量を超えたことを示す警告表示を前記表示手段に表示させるようにしたので、通信端末のユーザは、電力計測ユニット毎の電力量が目標電力量を超えたことに対して迅速に対応することができ、その結果、膨大な電力量を消費する産業設備の電力量管理に大きく寄与することができる。
【００１５】
本発明の電力量監視システムによれば、前記閾値判定手段にて前記電力計測ユニットに関わる電力量が目標電力量を超えたと判定されると、前記注目度記憶手段に記憶中の同電力計測ユニットの注目度に対応する前記警告表示を前記表示手段に表示させると共に、同警告表示に連動して同注目度に対応する警告音を前記音響出力手段に音響出力させるようにしたので、通信端末のユーザは、例えば警告表示の色や表示形態、警告音の音色で、電力量が目標電力量を超えた電力計測ユニットの設置箇所の注目度を認識することができる。
【００１６】
本発明の電力量監視システムによれば、前記閾値判定手段にてグループ単位の集計結果の電力量がグループ目標電力量を超えたと判定されると、前記グループ単位の集計結果の電力量がグループ目標電力量を超えたことを示す警告表示を前記表示手段に表示させると共に、同警告表示に連動して警告音を音響出力手段に音響出力させるようにしたので、通信端末のユーザは、グループ単位の電力量がグループ目標電力量を超えたことを視覚的な警告表示の他に、警告音でも聴覚的に認識することで、グループ単位の電力量の上昇に対して迅速に対応することができ、その結果、膨大な電力量を消費する産業設備の電力量管理に大きく寄与することができる。
【００１７】
本発明の電力量監視システムによれば、前記閾値判定手段にてグループ単位の集計結果の電力量がグループ目標電力量を超えたと判定されると、前記注目度記憶手段に記憶中の同グループの注目度に対応する前記警告表示を前記表示手段に表示させると共に、同警告表示に連動して同注目度に対応する警告音を前記音響出力手段に音響出力させるようにしたので、通信端末のユーザは、例えば警告表示の色や表示形態、警告音の音色で、電力量が目標電力量を超えたグループの注目度を認識することができる。
【図面の簡単な説明】
【００１８】
【図１】本発明の電力量監視システムにおける実施の形態を示す産業設備用電力量監視システム内部の概略構成を示すブロック図である。
【図２】本実施の形態に関わるＰＣ端末のメモリ部のテーブル内容を端的に示す説明図である。
【図３】本実施の形態に関わるＰＣ端末の電力量収集処理に関わるＣＰＵの処理動作を示すフローチャートである。
【図４】本実施の形態に関わるＰＣ端末の電力量表示処理に関わるＣＰＵの処理動作を示すフローチャートである。
【図５】本実施の形態に関わるＰＣ端末の表示部において電力量表示処理に関わる表示内容を端的に示す説明図である。
【図６】本実施の形態に関わるＰＣ端末の表示部において電力計測ユニット単位の表示内容(正常時)を端的に示す説明図である。
【図７】本実施の形態に関わるＰＣ端末の表示部において電力計測ユニット単位の表示内容（目標電力量を超えた時）を端的に示す説明図である。
【発明を実施するための最良の形態】
【００１９】
以下、図面に基づいて本発明の電力量監視システムにおける実施の形態を示す産業設備用電力量監視システムについて説明する。図１は本実施の形態を示す産業設備用電力量監視システム内部の概略構成を示すブロック図である。
【００２０】
図１に示す産業設備用電力量監視システム１は、例えば工場内の産業設備毎に配置され、同産業設備の電力量を設定周期毎に計測する電力計測ユニット２と、産業設備毎に配置された複数の電力計測ユニット２の計測結果である電力量を収集するＰＣ端末３と、電力計測ユニット２及びＰＣ端末３間の通信インタフェースを司る通信変換装置４とを有している。尚、通信変換装置４は、電力計測ユニット２との通信線５Ａ及び、ＰＣ端末３との通信線５Ｂと通信接続すると共に、これら通信線５Ａ及び通信線５Ｂで通信方式を相互変換するものである。
【００２１】
電力計測ユニット２は、産業設備の電力量を設定周期、例えば1時間毎に計測する電力計測部１１と、この電力計測部１１にて計測した電力量を順次記憶するユニット側メモリ部１２と、例えば警報表示等の様々な情報を表示するユニット側表示部１３と、例えば警報音等の様々な情報を音響出力するユニット側音響出力部１４と、様々な情報、例えば閾値としての目標電力量や設定周期を設定するユニット側設定部１５と、通信変換装置４との通信インタフェースを司るユニット側通信インタフェース１６と、この電力計測ユニット２全体を制御するユニット側制御部１７とを有している。
【００２２】
ユニット側制御部１７は、設定周期毎に電力計測部１１にて電力量を計測し、この計測結果である電力量を設定周期毎にユニット側メモリ部１２に順次記憶するものである。尚、ユニット側メモリ部１２は、ファーストイン・ラストアウト方式で最大５０００個までの電力量を記憶保持するものである。
【００２３】
また、電力計測ユニット２は、同電力計測ユニット２を識別するユニット番号と、同電力計測ユニット２の所属するグループ番号とが付与されているものとする。
【００２４】
ＰＣ端末３は、通信変換装置４との通信インタフェースを司る通信部２１と、様々な情報を表示する表示部２２と、様々な情報を音響出力する音響出力部２３と、様々な設定コマンド等を入力する操作部２４と、様々な情報を記憶するメモリ部２５と、このＰＣ端末３全体を制御するＣＰＵ２６とを有し、ＣＰＵ２６は、通信部２１の通信制御を司る通信制御部３１と、例えば電力計測ユニット２毎に電力量が目標電力量を超えたか否かを判定する閾値判定部３２と、このＣＰＵ２６全体を制御する制御部３３とを有している。尚、音響出力部２３は、パソコン上の音響出力ドライバを利用して様々な情報を音響出力するものである。
【００２５】
ＣＰＵ２６は、操作部２４を通じてユニット番号単位で閾値としての目標電力量を設定し、同目標電力量をユニット番号単位でメモリ部２５に記憶すると共に、同目標電力量を、通信部２１及び通信変換装置４を通じて同ユニット番号の電力計測ユニット２に対して目標電力量を設定変更するものである。
【００２６】
ＣＰＵ２６は、操作部２４を通じて収集対象の電力計測ユニット２に対する指定時刻の電力量要求コマンドを検出すると、通信部２１及び通信変換装置４を通じて収集対象の電力計測ユニット２に順次通信アクセスし、同通信アクセス中の電力計測ユニット２から同指定時刻の電力量を順次取得し、同指定時刻の電力量を同ユニット番号単位でメモリ部２５に順次記憶するものである。
【００２７】
ＣＰＵ２６は、操作部２４を通じて指定時刻の個別電力量一覧表示コマンドを検出すると、メモリ部２５に記憶中の同指定時刻の電力量をユニット番号単位で表示部２２に表示するものである。
【００２８】
さらにＣＰＵ２６は、閾値判定部３２にてユニット番号単位で同指定時刻の電力量が設定中の目標電力量を超えたか否かを判定し、同指定時刻の電力量が設定中の目標電力量を超えたのでなければ、同電力量を通常表示(図５の符号５０Ａ参照)するのに対し、電力量が設定中の目標電力量を超えたのであれば、同電力量表示を警告表示(図５の符号５０Ｂ参照)し、同警告表示と連動して警告音を音響出力部２３から音響出力するものである。尚、警告表示は、例えば電力量表示部位を赤色又は黄色に識別表示するものとする。
【００２９】
また、電力計測ユニット２の電力量計測タイミングを設定する設定周期は、ユニット側設定部１５を通じて設定変更可能であるが、さらに、ＣＰＵ２６は、システム内の電力計測ユニット２と通信接続し、操作部２４を通じて電力計測ユニット２の設定周期を設定変更することも可能である。尚、システム内の電力計測ユニット２は、全て同一設定周期であることが望ましい。
【００３０】
図２は本実施の形態に関わるＰＣ端末３内のメモリ部２５のテーブル内容を端的に示す説明図である。
【００３１】
図２に示すメモリ部２５は、電力計測ユニット２単位で、同電力計測ユニット２の名称を示すユニット名称２５Ａと、同電力計測ユニット２を識別するユニット番号２５Ｂと、同電力計測ユニット２の所属するグループを識別するグループ番号２５Ｃと、同電力計測ユニット２の注目度を示す注目度２５Ｄと、同電力計測ユニット２に設定中の閾値を示す目標電力量２５Ｅと、同電力計測ユニット２のグループに設定中の閾値を示すグループ目標電力量２５Ｆと、最新時刻の電力量を示す最新計測値２５Ｇと、最新時刻から１時間前の電力量を示す１時間前計測値２５Ｈと、最新時刻から２時間前の電力量を示す２時間前計測値２５Ｉ等とを記憶管理するものである。
【００３２】
また、メモリ部２５には、電力計測ユニット２毎に最新計測値２５Ｇ、１時間前計測値２５Ｈ及び２時間前計測値２５Ｉの他に、時刻単位で３時間前〜４８時間前の計測値を記憶管理する他に、電力計測ユニット２毎に日単位の累積電力量及び月単位の累積電力量等をも記憶管理しているものとする。
【００３３】
また、注目度２５Ｄは、電力計測ユニット２毎に差別化を図るために、例えばＡ〜Ｃの３ランクに分類し、Ｃ→Ｂ→Ａの順に注目度が順次高くなるものとする。
【００３４】
尚、制御部３３は、操作部２４を通じてメモリ部２５に記憶中のユニット名称２５Ａ、ユニット番号２５Ｂ、グループ番号２５Ｃ、注目度２５Ｄ、目標電力量２５Ｅ及びグループ目標電力量２５Ｆを設定変更可能としている。
【００３５】
尚、請求項記載の電力量監視システムは産業設備用電力量監視システム１、電力量計測手段は電力計測部１１、電力計測ユニットは電力計測ユニット２、通信端末はＰＣ端末３、記憶手段はメモリ部２５、表示手段は表示部２２、制御手段はＣＰＵ２６、閾値設定手段は操作部２４、閾値記憶手段はメモリ部２５、閾値判定手段は閾値判定部３２、音響出力手段は音響出力部２３、注目度設定手段は操作部２４、注目度記憶手段はメモリ部２５、識別符号はユニット番号２５Ｂ、グループ識別符号はグループ番号２５Ｃに相当するものである。
【００３６】
次に本実施の形態を示す産業設備用電力量監視システム１の動作について説明する。図３は本実施の形態に関わるＰＣ端末３の電力量収集処理に関わるＣＰＵ２６の処理動作を示すフローチャートである。
【００３７】
図３に示す電力量収集処理とは、収集対象の各電力計測ユニット２から指定時刻に関わる電力量をＰＣ端末３側で収集する処理である。
【００３８】
図３においてＰＣ端末３のＣＰＵ２６は、操作部２４を通じて各電力計測ユニット２に対する指定時刻の電力量を収集する要求コマンドを検出すると、同指定時刻の電力量収集動作を開始する(ステップＳ１１)。尚、要求コマンドは、操作部２４を通じて収集対象の時刻及び電力計測ユニット２を指定して行われるものとする。
【００３９】
ＣＰＵ２６の通信制御部３１は、電力量収集動作を開始すると、通信部２１及び通信変換装置４を通じて、ユニット番号"００１"の電力計測ユニット２に対して通信アクセスを実行する(ステップＳ１２)。尚、通信制御部３１は、メモリ部２５に記憶中のユニット番号２５Ｂ順序に基づき、電力計測ユニット２への通信アクセスを順次実行するものである。
【００４０】
ＣＰＵ２６の制御部３３は、現在通信アクセス中の電力計測ユニット２に対してユニット側メモリ部１２に記憶中の指定時刻の電力量をタイムアウト時間内に取得したか否かを判定する(ステップＳ１３)。尚、タイムアウト時間は、通信アクセス動作に応じてタイムアウト時間のタイマ動作を開始するものである。
【００４１】
制御部３３は、ステップＳ１３にて現在通信アクセス中の電力計測ユニット２に対して指定時刻の電力量をタイムアウト時間内に取得すると、同電力量を同電力計測ユニット２のユニット番号２５Ｂに対応付けてメモリ部２５に記憶する(ステップＳ１４)。
【００４２】
制御部３３は、メモリ部２５のユニット番号２５Ｂに基づき、現在通信アクセス中の電力計測ユニット２に関わる次のユニット番号２５Ｂの電力計測ユニット２があるか否かを判定する(ステップＳ１５)。
【００４３】
通信制御部３１は、次のユニット番号２５Ｂの電力計測ユニット２があると判定されると、次のユニット番号２５Ｂの電力計測ユニット２に対して通信アクセスを実行し(ステップＳ１６)、同通信アクセス中の電力計測ユニット２に対して指定時刻の電力量を取得すべく、ステップＳ１３に移行する。
【００４４】
また、制御部３３は、ステップＳ１５にて次のユニット番号２５Ｂの電力計測ユニット２がないと判定されると、収集対象の全ての電力計測ユニット２から同指定時刻の電力量の収集動作が完了したか否かを判定する(ステップＳ１７)。
【００４５】
制御部３３は、収集対象の全ての電力計測ユニット２から電力量収集動作を完了したのであれば、この電力量収集処理の処理動作を終了する。
【００４６】
また、制御部３３は、ステップＳ１３にて通信アクセス中の電力計測ユニット２から指定時刻の電力量をタイムアウト時間内に取得できなかったのであれば、現在通信アクセス中の電力計測ユニット２に対する電力量の取得動作を中止し、現在通信アクセス中の電力計測ユニット２に関わる次のユニット番号２５Ｂの電力計測ユニット２を検索すべく、ステップＳ１５に移行する。
【００４７】
また、通信制御部３１は、ステップＳ１７にて収集対象の全ての電力計測ユニット２の同指定時刻の電力量の収集動作が完了したのでなければ、同指定時刻の電力量の未取得の電力計測ユニット２があるものと判断し、同未取得の電力計測ユニット２への通信アクセスを実行する(ステップＳ１８)。尚、未取得の電力計測ユニット１８とは、例えばステップＳ１３にてタイムアウト時間内に指定時刻の電力量を取得することができなかった電力計測ユニット２に相当するものである。
【００４８】
制御部３３は、電力計測ユニット２への通信アクセスを実行すると、この電力計測ユニット２に対してユニット側メモリ１２に記憶中の指定時刻の電力量を取得する電力量取得動作を開始し、タイムアウト時間内に同指定時刻の電力量を取得することができたか否かを判定する(ステップＳ１９)。
【００４９】
制御部３３は、タイムアウト時間内に同指定時刻の電力量を取得することができたのであれば、この電力量を同電力計測ユニット２のユニット番号２５Ｂに対応付けてメモリ部２５に記憶することで(ステップＳ２０)、取得対象の全ての電力計測ユニット２の電力量の収集動作が完了したか否かを判定すべく、ステップＳ１７に移行する。
【００５０】
また、制御部３３は、ステップＳ１９にてタイムアウト時間内に同指定時刻の電力量を取得することができなかった場合にはリトライ動作を実行すべく、ステップＳ１７に移行する。尚、図示せぬが、同リトライ動作を数回実行し、同リトライ回数が所定回数を超える場合には、同電力計測ユニット２への通信異常であると判断して通信異常エラーを表示部２２に表示して、電力量表示処理の処理動作を終了するようにしても良い。
【００５１】
図３に示す電力量収集処理によれば、電力計測ユニット２内の電力計測部１１にて設定周期毎に同産業設備の電力量を計測すると、この電力計測部１１の電力量を同設定周期毎に順次記憶するユニット側メモリ部１２を電力計測ユニット２側に備え、ＰＣ端末３のＣＰＵ２６は、収集対象の電力計測ユニット２に対する指定時刻の電力量の要求コマンドを検出すると、収集対象の各電力計測ユニット２と通信接続して各電力計測ユニット２のユニット側メモリ部１２に記憶中の同指定時刻の電力量を順次取得し、これら取得した指定時刻の電力量を電力計測ユニット２毎にメモリ部２５に記憶するようにしたので、ＰＣ端末３は、収集対象の各電力計測ユニット２から同一指定時刻の電力量を確実に収集することができる。
【００５２】
また、図３に示す電力量収集処理によれば、収集対象の電力計測ユニット２に対する指定時刻の電力量の要求コマンドを検出すると、収集対象の各電力計測ユニット２と通信接続して各電力計測ユニット２に対して同指定時刻の電力量の収集動作を実行した後、収集対象の電力計測ユニット２の内、同電力量が取得できなかった未取得の電力計測ユニット２がある場合には、同未取得の電力計測ユニット２に対して再度通信接続し、同未取得の電力計測ユニット２のユニット側メモリ部１２に記憶中の同指定時刻の電力量を取得し、この取得した指定時刻の電力量を同電力計測ユニット２毎にメモリ部２５に記憶するようにしたので、仮にＰＣ端末３及び電力計測ユニット２間に一時的な通信障害が発生したとしてもユニット側メモリ部１２に記憶中の同一指定時刻の電力量をＰＣ端末３側で取得することができるため、ＰＣ端末３側で取得対象の全電力計測ユニット２の同一指定時刻の電力量をＰＣ端末３側で確実に収集することができる。
【００５３】
図４は本実施の形態に関わるＰＣ端末３の電力量表示処理に関わるＣＰＵ２６の処理動作を示すフローチャートである。
【００５４】
図４に示す電力量表示処理は、ＰＣ端末３のメモリ部２５に記憶中の電力量に基づいて、電力計測ユニット２毎に指定時刻の電力量を表示し、同電力量が目標電力量を超えた場合には警告表示を表示すると共に、同警告表示と連動して警告音を音響出力する処理である。
【００５５】
図４においてＣＰＵ２６の制御部３３は、操作部２４を通じて、図５に示す個別電力量一覧表示５０を表示する個別電力量一覧表示コマンドを検出すると、表示対象の電力計測ユニット２の指定時刻の電力量及び目標電力量２５Ｅをメモリ部２５から読み出し(ステップＳ３１)、同電力量が目標電力量２５Ｅを超えたか否かを判定する(ステップＳ３２)。
【００５６】
制御部３３は、同電力量が目標電力量２５Ｅを超えたのでなければ、図５に示すように電力量を表示する通常電力表示５０Ａを表示部２２に表示させることで(ステップＳ３３)、同電力計測ユニット２の電力量表示処理に関わる処理動作を終了する。
【００５７】
また、制御部３３は、ステップＳ３２にて同電力量が目標電力量２５Ｅを超えたのであれば、メモリ部２５のメモリ内容を参照して、同電力計測ユニット２に対応する注目度２５Ｄが"Ａ"であるか否かを判定する(ステップＳ３４)。
【００５８】
制御部３３は、注目度２５Ｄが"Ａ"であると判定されると、注目度"Ａ"に対応する警告表示５０Ｂを表示部２２に表示させると共に、同警告表示５０Ｂに連動して同注目度"Ａ"に対応する警告音を音響出力部２３から音響出力させることで(ステップＳ３５)、同電力計測ユニット２の電力量表示処理に関わる処理動作を終了する。尚、注目度"Ａ"の警告表示は、例えば電力量表示部位の赤色点灯表示とする。
【００５９】
また、制御部３３は、ステップＳ３４にて同電力計測ユニット２に対応する注目度２５Ｄが"Ａ"でないと判定されると、同電力計測ユニット２に対応する注目度２５Ｄが"Ｂ"であるか否かを判定する(ステップＳ３６)。
【００６０】
制御部３３は、注目度２５Ｄが"Ｂ"であると判定されると、注目度"Ｂ"に対応する警告表示５０Ｂを表示部２２に表示させると共に、同警告表示に連動して同注目度"Ｂ"に対応する警告音を音響出力部２３から音響出力させることで(ステップＳ３７)、同電力計測ユニット２の電力量表示処理に関わる処理動作を終了する。尚、注目度"Ｂ"の警告表示は、例えば電力量表示部位の赤色点滅表示とする。
【００６１】
制御部３３は、ステップＳ３６にて電力計測ユニット２に対応する注目度が"Ｂ"でないと判定されると、同電力計測ユニット２に対応する注目度が"Ｃ"であると判断し、注目度"Ｃ"に対応する警告表示５０Ｂを表示部２２に表示させると共に、同警告表示に連動して同注目度"Ｃ"に対応する警告音を音響出力部２３から音響出力させることで(ステップＳ３８)、同電力計測ユニット２の電力量表示処理に関わる処理動作を終了する。尚、注目度"Ｃ"の警告表示は、例えば電力量表示部位の黄色点灯表示とする。
【００６２】
尚、電力量表示処理においては、個別電力量一覧表示５０において電力計測ユニット２（ユニット番号）毎に指定時刻の電力量が目標電力量を超えたか否かを順次判定し、同判定結果に対応した表示をユニット番号毎に順次実行するものである。
【００６３】
図４に示す電力量表示処理によれば、閾値判定部３２にて電力計測ユニット２の電力量が目標電力量２５Ｅを超えたと判定されると、同電力計測ユニット２の注目度２５Ｄに対応する警告表示５０Ｂを表示部２２に表示させると共に、同警告表示に連動して同注目度２５Ｄに対応する警告音を音響出力部２３に音響出力させるようにしたので、ユーザは、電力量が目標電力量を超えた電力計測ユニット２を視覚的及び聴覚的に認識することができると共に、例えば警告表示の色や表示形態、警告音の音色で、電力量が目標電力量を超えた電力計測ユニット２の設置箇所の注目度を認識することができる。
【００６４】
本実施の形態によれば、閾値判定部３２にて電力計測ユニット２に関わる電力量が目標電力量を超えたと判定されると、電力計測ユニット２の電力量が目標電力量を超えたことを示す警告表示を表示部２２に表示させると共に、同警告表示に連動して警告音を音響出力部２３に音響出力させるようにしたので、ＰＣ端末３のユーザは、電力計測ユニット２毎の電力量が目標電力量を超えたことを視覚的な警告表示の他に、警告音でも聴覚的に認識することで、この電力量の上昇に対して迅速に対応することができ、その結果、膨大な電力量を消費する産業設備の電力量管理に大きく寄与することができる。
【００６５】
また、本実施の形態によれば、閾値判定部３２にて電力計測ユニット２に関わる電力量が目標電力量を超えたと判定されると、メモリ部２５に記憶中の同電力計測ユニット２の注目度２５Ｄに対応する警告表示を表示部２３に表示させると共に、同警告表示に連動して同注目度２５Ｄに対応する警告音を音響出力部２３に音響出力させるようにしたので、ＰＣ端末３のユーザは、例えば警告表示の色や表示形態、警告音の音色で、電力量が目標電力量を超えた電力計測ユニット２の設置箇所の注目度を認識することができる。
【００６６】
尚、上記実施の形態においては、操作部２４を通じて個別電力量一覧表示コマンドを検出すると、メモリ部２５に記憶中の同指定時刻の電力量を図５に示すようにユニット番号単位で表示部２２に表示するようにしたが、例えば日報電力量表示コマンドを検出すると、指定対象の電力計測ユニット２の指定日の電力量を時間単位で示す日報電力量表示６０を図６及び図７に示すように表示部２２に表示するようにしても良く、図６に示す日報電力量表示６０は、表示対象の電力計測ユニット２を識別するユニット番号６０Ａと、目標電力値６０Ｂと、０時〜２３時までの棒グラフ状の電力量６０Ｃとを有し、ユーザは、図６においてユニット番号"００１"の電力計測ユニット２が０〜１８時まで電力量の推移を認識することができると共に、０時から現在の１８時までの電力量が目標電力値以下であることも認識することができる。
【００６７】
また、図７に示す日報電力量表示６０おいては、ユニット番号"００２"の電力計測ユニット２における０〜１６時までの電力量を表示し、現在の１６時の電力量が目標電力量を超えているため、ユニット番号６０Ａの表示部位を赤色点灯表示している状態を示し、ユーザは、０〜１６時までの電力量の推移を認識することができると共に、現在の１６時の電力量が目標電力量を超えたことを認識することができる。さらに、ユニット番号６０Ａの表示部位の赤色点灯状態及び警告音の音響出力に基づき、同目標電力量を超えた電力計測ユニット２の注目度が"Ｂ"であると認識することができる。
【００６８】
また、上記実施の形態においては、操作部２４を通じて個別電力量一覧表示コマンドを検出すると、メモリ部２５に記憶中の同指定時刻の電力量を図５に示すようにユニット番号単位で表示部２２に表示する実施の形態について説明したが、操作部２４を通じて指定時刻のグループ電力量一覧表示コマンドを検出すると、メモリ部２５に記憶中の同指定時刻の電力量をグループ単位で集計し、同グループ単位の集計結果をグループ番号単位で表示部２２に表示するようにしても良く、この場合、閾値判定部３２にてグループ番号単位で同指定時刻の集計結果が設定中のグループ目標電力量２５Ｆを超えたか否かを判定し、集計結果が設定中のグループ目標電力量２５Ｆを超えたのでなければ、同集計結果を通常表示するのに対し、同集計結果が設定中のグループ目標電力量２５Ｆを超えたのであれば、同集計結果の他に警告表示を表示し、同警告表示と連動して警告音を音響出力部２３から音響出力するようにしても良く、この場合、ユーザは、グループ単位の電力量がグループ目標電力量２５Ｆを超えたグループを視覚的な警告表示の他に、警告音でも聴覚的に認識することができ、その結果、グループ単位で電力量の上昇に対して迅速に対応することができる。
【００６９】
また、グループ番号毎に注目度を設定記憶しておくことで、グループ電力量一覧表示において、グループ番号単位で指定時刻の集計結果がグループ目標電力量を超えた場合、同グループの注目度に対応する警報表示を表示部２２に表示させると共に、同警告表示に連動して同注目度に対応する警告音を音響出力部２３に音響出力させるようにしても良く、この場合、ユーザは、グループ単位の電力量の集計結果がグループ目標電力量２５Ｆを超えたグループを視覚的及び聴覚的に認識することができると共に、例えば警告表示の色や表示形態、警告音の音色で、電力量がグループ目標電力量を超えたグループの注目度を認識することができる。
【産業上の利用可能性】
【００７０】
本発明の電力量監視システムによれば、閾値判定手段にて計測結果としての電力量が目標電力量を超えたと判定されると、前記電力量が目標電力量を超えたことを示す警告表示を表示手段に表示させると共に、同警告表示に連動して警告音を音響出力手段に音響出力させるようにしたので、通信端末のユーザは、電力計測ユニット毎の電力量が目標電力量を超えたことを視覚的な警告表示の他に、警告音でも聴覚的に認識することで、この電力量の上昇に対して迅速に対応することができるため、膨大な電力量を消費する電気設備の電力量管理に有用である。
【符号の説明】
【００７１】
１  産業設備用電力量監視システム(電力量監視システム)
２  電力計測ユニット
３  ＰＣ端末(通信端末)
１１  電力計測部(電力量計測手段)
１２  ユニット側メモリ部（電力量記憶手段）
２２  表示部(表示手段)
２３  音響出力部（音響出力手段）
２４  操作部(閾値設定手段、注目度設定手段)
２５  メモリ部(記憶手段、閾値記憶手段、注目度記憶手段)
２６  ＣＰＵ(制御手段)
３２  閾値判定部(閾値判定手段)
【図１】
2011145310.tif 000003
【図２】
2011145310.tif 000004
【図３】
2011145310.tif 000005
【図４】
2011145310.tif 000006
【図５】
2011145310.tif 000007
【図６】
2011145310.tif 000008
【図７】
2011145310.tif 000009